(57)【要約】      （修正有）【課題】金融機関の預金通帳など磁気によって情報を読み取りが可能な磁気記憶媒体を外部の磁界から保護するような磁気記憶媒体ケースおよび磁気遮断シートに関し、軽量で磁気遮断性能に優れた収納ケースおよび磁気遮断シートを提供する。【解決手段】記憶している情報を磁気によって読み取り許容する磁気記憶媒体を収納する収納ケースに、収納された磁気記憶媒体の両面の少なくとも各一部をそれぞれ覆って磁気を遮断する磁気遮断シート７を備え、該磁気遮断シート７を、磁気を遮断する磁気遮断素材による磁気遮断素材シート１２，１４と、各磁気遮断素材シート１２，１４同士の間に介装された絶縁シート１３とで構成した。【選択図】図２
2008010799.tif 000002
【特許請求の範囲】
【請求項１】
記憶している情報を磁気によって読み取り許容する磁気記憶媒体を収納する磁気記憶媒体ケースであって、
収納された前記磁気記憶媒体の両面の少なくとも各一部をそれぞれ覆って磁気を遮断する磁気遮断シートを備え、
該磁気遮断シートを、磁気を遮断する磁気遮断素材による複数の磁気遮断層と、
各磁気遮断層同士の間に介装された絶縁層とで構成した
磁気記憶媒体ケース。
【請求項２】
前記磁気遮断シートを１ｍｍ以上の肉厚に形成した
請求項１記載の磁気記憶媒体ケース。
【請求項３】
前記磁気遮断層の肉厚より前記絶縁層の肉厚を厚く形成した
請求項１または２記載の磁気記憶媒体ケース。
【請求項４】
前記磁気遮断素材の主成分をアルミ材で形成した
請求項１、２または３記載の磁気記憶媒体ケース。
【請求項５】
前記磁気遮断素材の主成分を鉄材で形成し、
該鉄材で形成した磁気遮断層の少なくとも前記磁気記憶媒体側の面を酸化させた
請求項１から４のいずれか１つに記載の磁気記憶媒体ケース。
【請求項６】
記憶している情報を磁気によって読み取り許容する磁気記憶媒体を収納する磁気記憶媒体ケースであって、
収納された前記磁気記憶媒体の両面の少なくとも各一部をそれぞれ覆って磁気を遮断する磁気遮断シートを備え、
該磁気遮断シートを、磁気を遮断する磁気遮断素材による磁気遮断層と、
該磁気遮断層のケース外側に重ねて設けられた距離確保層とで構成した
磁気記憶媒体ケース。
【請求項７】
磁気を遮断する磁気遮断素材による複数の磁気遮断層と、
各磁気遮断層同士の間に介装された絶縁層とで構成した
磁気遮断シート。
【請求項８】
シート状に形成した鉄材の少なくとも片面を酸化させた
磁気遮断シート。
【発明の詳細な説明】
【技術分野】
【０００１】
この発明は、例えば金融機関の預金通帳など磁気によって情報の読み取りが可能な磁気記憶媒体を外部の磁界から保護するような磁気記憶媒体ケースおよび磁気遮断シートに関する。
【背景技術】
【０００２】
従来、金融機関の預金通帳、キャッシュカード、およびクレジットカードなど、記憶されている情報を磁気により読み取れる磁気記憶媒体が提供されている。このような磁気記憶媒体は、磁気ストライプに情報が磁気的に記憶されており、適宜のリーダに設けられた磁気ヘッドにより磁気ストライプから磁気情報が読み取られる。また近年では、ＩＣチップとアンテナで構成された非接触ＩＣ媒体も磁気記憶媒体として提供されている。この非接触ＩＣ媒体は、リーダライタに設けられたアンテナと誘導電磁界を用いて非接触通信でき、これにより情報を非接触でリーダライタに送信できる。
【０００３】
一方、上記磁気ストライプにより情報を記憶した磁気記憶媒体は、強い磁界の中に長時間放置されると、磁気が異常状態となって情報を読み取れなくことがある。このような磁気異常を防止する方法として、例えば預金通帳に対してであれば、預金通帳を収納するカードケースに、鉄板などの磁気を遮断する部材を取り付ける方法が考えられる。しかし、磁気を確実に防止するためには、鉄板の肉厚を一定以上の厚みとすることが必要であり、カードケースの全体重量が重くなって不便であるという問題点がある。
【０００４】
また、磁気記憶媒体を磁界から保護するものとして、耐磁気性カードケースが提案されている（特許文献１参照）。  
この耐磁気性カードケースは、見開き式のケースであり、見開き扉の両側にコバルトアモルファス合金が設けられている。  
しかし、この耐磁気性カードケースは、カードケースの全体重力を軽くできるものではなかった。
【０００５】
【特許文献１】特開平１０−２９４５８６号公報
【発明の開示】
【発明が解決しようとする課題】
【０００６】
この発明は、上述の問題に鑑み、軽量で磁気遮断性能に優れた磁気記憶媒体ケースおよび磁気遮断シートを提供し、利用者の満足度を向上させることを目的とする。
【課題を解決するための手段】
【０００７】
この発明は、記憶している情報を磁気によって読み取り許容する磁気記憶媒体を収納する磁気記憶媒体ケースであって、収納された前記磁気記憶媒体の両面の少なくとも各一部をそれぞれ覆って磁気を遮断する磁気遮断シートを備え、該磁気遮断シートを、磁気を遮断する磁気遮断素材による複数の磁気遮断層と、各磁気遮断層同士の間に介装された絶縁層とで構成した磁気記憶媒体ケースであることを特徴とする。
【０００８】
またこの発明は、記憶している情報を磁気によって読み取り許容する磁気記憶媒体を収納する磁気記憶媒体ケースであって、収納された前記磁気記憶媒体の両面の少なくとも各一部をそれぞれ覆って磁気を遮断する磁気遮断シートを備え、該磁気遮断シートを、磁気を遮断する磁気遮断素材による磁気遮断層と、該磁気遮断層のケース外側に重ねて設けられた距離確保層とで構成した磁気記憶媒体ケースであることを特徴とする。
【発明の効果】
【０００９】
この発明により、軽量で磁気遮断性能に優れた磁気記憶媒体ケースおよび磁気遮断シートを提供し、利用者の満足度を向上させることができる。
【発明を実施するための最良の形態】
【００１０】
この発明の一実施形態を以下図面と共に説明する。  
【実施例１】
【００１１】
図１は、磁気記憶媒体Ｍと、該磁気記憶媒体Ｍを収納する収納ケース１の外観を示す斜視図である。
【００１２】
磁気記憶媒体Ｍは、この実施例１では金融機関で用いられる見開き状に開く長方形の預金通帳としている。この預金通帳には、磁気ストライプ（図示省略）が設けられており、この磁気ストライプに口座番号などの情報が磁気的に記録されている。
【００１３】
収納ケース１は、前記磁気記憶媒体Ｍより一回り大きい長方形のシート状の表カバー２と裏カバー３とを３辺の接着部４で接着して形成している。この接着部４は、適宜の接着材を用いて表カバー２の一部と裏カバー３の一部とを接着する構成とする、あるいは表カバー２と裏カバー３との両接触面を熱溶着素材で構成しておいて両者を熱溶着するなど、適宜の方法によって接着されている。なお、熱溶着部材は、例えばＰＥＴやナイロンなどで構成することができる。
【００１４】
このように構成された収納ケース１は、接着部４が設けられていない残りの１辺が開口部６となって、この開口部６から前記磁気記憶媒体Ｍを内部に完全に収納できる構成となっている。また、表カバー２の開口部６側辺の中央には、内部に収納された磁気記憶媒体Ｍを取り出しやすくするための切り欠き穴５が設けられている。
【００１５】
表カバー２および裏カバー３は、いずれも電磁波遮断シート７で構成されている。表カバー２および裏カバー３を別素材のシートで構成することも可能であるが、この実施例では同一の電磁波遮断シート７を採用することにより、材料のコストダウンと製造時の材料管理の容易化を図っている。また、電磁波遮断シート７は、磁気記憶媒体Ｍの一部として磁気ストライプが設けられている部分を少なくとも覆う構成とすればよく、この実施例１では磁気記憶媒体Ｍ全体を覆う構成としている。
【００１６】
図２は電磁波遮断シート７の断面図を示す。  
電磁波遮断シート７は、表面シート１１、磁気遮断素材シート１２、絶縁シート１３、磁気遮断素材シート１４、および裏面シート１５を上からこの順で重合配置して互いに平行に構成している。
【００１７】
表面シート１１および裏面シート１５は、絶縁素材の一例としてナイロン材により形成された肉厚０．２５μｍの長方形のシートである。  
磁気遮断素材シート１２および磁気遮断素材シート１４は、アルミ材に炭素を含有した素材により形成された０．０５μｍの長方形のシートである。この磁気遮断素材シート１２，１４は、鉄材により形成された肉厚５０μｍの長方形のシートで構成することも可能であるが、アルミ材を主成分とすることにより、素材の重量を軽量化している。また磁気遮断素材シート１２，１４は、アルミ材のみで構成することも可能であるが、炭素を含有させることで電磁波の遮断性能を向上させており、その分肉厚を薄くして軽量化している。  
絶縁シート１３は、絶縁素材の一例としてナイロン材により形成された肉厚略１ｍｍの長方形のシートである。
【００１８】
以上の構成により、軽量で電磁波遮断性能の優れた電磁波遮断シート７を提供でき、この電磁波遮断シート７を用いた収納ケース１を提供することができる。  
詳述すると、図３の説明図の（Ａ）の比較例に示すように、アルミ材に炭素を含有した素材により前記磁気遮断素材シート１２と磁気遮断素材シート１４を重ねた厚さである０．１μｍの肉厚に形成された比較用シート１１２を用いた場合、電磁波Ｇは少量ながら通過してしまう。
【００１９】
しかし、図３（Ｂ）に示すように、その半分の肉厚である磁気遮断素材シート１２および磁気遮断素材シート１４を用い、さらにその間に絶縁シート１３を設けたことで、電磁波Ｇを二段階で遮断でき、二段目の磁気遮断素材シート１４により完全に遮断することができる。
【００２０】
このように二段階で電磁波Ｇを遮断することによる電磁波遮断性能の向上度合いは、絶縁シート１３の肉厚が厚いほど高くなる。この実施例１では、電磁波遮断シート７全体として１ｍｍ程度の肉厚、さらに言えば磁気遮断素材シート１２の外側面から磁気遮断素材シート１４の外側面までの厚みを１ｍｍ程度の厚みとすることで、充分な電磁波遮断性能と、コンパクト化との両立を図っている。つまり、電磁波遮断シート７の肉厚が厚くなればそれだけ取り扱いに不便になるが、１ｍｍ程度の肉厚に抑えることで、取り扱いの利便性を確保しており、その上で充分な電磁波遮断性能を確保している。なお、電磁波遮断性能に着目すれば、磁気遮断素材シート１２の外側面から磁気遮断素材シート１４の外側面までの厚みを１ｍｍ以上の厚みに構成すればよい。
【００２１】
図４のグラフ図は、この電磁波遮断シート７の電磁波遮断性能を示している。  
図４（Ａ）はＫＥＣ法（電界）により１ＭＨｚ〜１ＧＨｚまでの電磁波に対する電磁波遮断シート７の性能をグラフ化したものである。グラフの縦軸はシールド効果（Shielding Effectiveness）を示し、単位はｄＢである。グラフの横軸は周波数（Frequency）を示し、単位はＭＨｚである。  
このグラフに示すように、電磁波遮断シート７は、１ＭＨｚ〜１ＧＨｚの電磁波に対して略６２．９ｄＢ以上で略８８．０ｄＢ以下のシールド効果を有している。
【００２２】
図４（Ｂ）はＫＥＣ法（磁界）により１ＭＨｚ〜１ＧＨｚまでの電磁波に対する電磁波遮断シート７の性能をグラフ化したものである。グラフの縦軸はシールド効果（Shielding Effectiveness）を示し、単位はｄＢである。グラフの横軸は周波数（Frequency）を示し、単位はＭＨｚである。  
このグラフに示すように、電磁波遮断シート７は、１ＭＨｚ〜１ＧＨｚの電磁波に対して略２３．６ｄＢ以上で略８２．０ｄＢ以下のシールド効果を有している。
【００２３】
このように、収納ケース１は十分な電磁波遮断性能を有しているため、収納した磁気記憶媒体Ｍの磁気ストライプの磁気状態を保護することができ、磁気異常によって磁気ストライプから情報を読み取れなくなることを防止できる。さらに言えば、この実施例１の収納ケース１は、磁気記憶媒体Ｍを収納した状態で磁気ストライプの存在位置にめがけて１０００ガウスの磁界を外から照射しても、電磁波遮断シート７で磁界を遮断して磁気ストライプの磁気異常を発生させないで保護できる。したがって磁気記憶媒体Ｍは、この磁界照射の後もリーダライタに対して問題なく情報を読み取らせることができる。
【実施例２】
【００２４】
図５は、実施例２の収納ケース２０の外観を示す斜視図である。  
この収納ケース２０は、同じサイズの長方形の表カバー２０ａと裏カバー２０ｂとの一長辺が折り返し部２３として接続されて構成されている。
【００２５】
表カバー２０ａは、実施例１で説明した電磁波遮断シート７で構成された表シート２２に、同一幅で折り返し部２３側へ向かっての長さが短いカバーシート２１が重合配置されている。このカバーシート２１と表シート２２は、折り返し部２３側の一辺を除いた３辺が接着部２７として接続されて袋状に構成されている。  
カバーシート２１は、ナイロンやＰＥＴなど電磁波に影響を与えない素材によって構成されている。
【００２６】
裏カバー２０ｂは、実施例１で説明した電磁波遮断シート７で構成された裏シート２５に、同一幅で折り返し部２３側へ向かっての長さが短いカバーシート２４が重合配置されている。このカバーシート２４と裏シート２５は、折り返し部２３側の一辺を除いた３辺にて接着部２７として接続されており、袋状に構成されている。  
カバーシート２４は、ナイロンやＰＥＴなど電磁波に影響を与えない素材によって構成されている。
【００２７】
このように構成された表カバー２０ａと裏カバー２０ｂは、磁気記憶媒体Ｍとしての預金通帳を見開き可能に収納することができる。つまり、表カバー２０ａのカバーシート２１と表シート２２の間に折り返し部２３側から預金通帳の表紙を収納し、裏カバー２０ｂのカバーシート２４と裏シート２５の間に折り返し部２３側から預金通帳の裏表紙を収納することができる。こうすることで、収納ケース１から預金通帳を取り出さなくとも、表カバー２０ａと裏カバー２０ｂを開閉して預金通帳の中身を確認することができる。
【００２８】
以上の構成により、実施例１と同様に、軽量で電磁波遮断性能の優れた電磁波遮断シート７を用いた収納ケース２０を提供することができる。  
この実施例２の収納ケース２０は、預金通帳を取り外すことなく預金通帳の中身を確認できるため、非常に便利に使用することができる。
【００２９】
また、この預金通帳にＩＣチップとアンテナが設けられてＲＦ−ＩＤタグと呼ばれる非接触ＩＣ媒体としての機能が付与されていれば、表カバー２０ａと裏カバー２０ｂを見開き状に開くだけでリーダライタと非接触通信可能な状態とすることができる。表カバー２０ａと裏カバー２０ｂを閉じれば、電磁波遮断シート７が電磁波を遮断するため、非接触通信できない状態にでき、不正に非接触通信されて情報が読み取られるスキミングを防止できる。
【００３０】
なお、実施例２の表シート２２および裏シート２５、あるいは電磁波遮断シート７中の磁気遮断素材シート１２，１４は、図６の断面図に示す多機能シート３０で構成してもよい。  
この多機能シート３０は、鉄素材で形成された肉厚５０μｍのシートの両面を酸化させることで、鉄層３２の両面に酸化鉄層３１，３３が存在して全体として１ｍｍ程度の肉厚となるように構成されている。
【００３１】
この多機能シート３０を用いた場合も、表シート２２および裏シート２５を閉じれば預金通帳の非接触ＩＣ媒体とリーダライタが非接触通信できない状態となり、表シート２２および裏シート２５を開けば預金通帳の非接触ＩＣ媒体とリーダライタが非接触通信できる状態となる。
【００３２】
そして、表シート２２および裏シート２５を開けて預金通帳の非接触ＩＣ媒体とリーダライタが非接触通信できる状態とした際に、非接触ＩＣ媒体側の表面の酸化鉄層３１で非接触ＩＣ媒体のアンテナによる非接触通信性能を向上させることができる。
【００３３】
この多機能シート３０は、鉄層３２（アルミや銅や銀でもよい）の両面にアモルファスシートやパーマロイなどの軟磁性素材によるシートを重合配置して構成することも可能であるが、鉄の両面を酸化させて構成することで、電磁波遮断機能と電磁波強化機能の両機能を安価かつ容易に得ることができる。
【００３４】
また、実施例２の表シート２２および裏シート２５、あるいは実施例１の電磁波遮断シート７は、図７の断面図に示す電磁波遮断シート７ａで構成してもよい。  
この電磁波遮断シート７ａは、表面シート１１、距離確保シート１８、磁気遮断素材シート１９、および裏面シート１５をこの順で重合配置して構成されている。
【００３５】
表面シート１１および裏面シート１５は、絶縁素材の一例としてナイロン材により形成された肉厚０．２５μｍの長方形のシートである。  
距離確保シート１８は、スポンジ材により形成された肉厚０．５ｍｍ〜１．５ｍｍの長方形のシートである。
【００３６】
磁気遮断素材シート１９は、アルミ材に炭素を含有した素材により形成された０．０５μｍの長方形のシートである。この磁気遮断素材シート１９は、鉄材により形成された肉厚５０μｍの長方形のシートで構成することも可能であるが、アルミ材を主成分とすることにより、素材の重量を軽量化している。また磁気遮断素材シート１９は、アルミ材のみで構成することも可能であるが、炭素を含有させることで電磁波の遮断性能を向上させており、その分肉厚を薄くして軽量化している。
【００３７】
このように構成した電磁波遮断シート７ａは、磁気遮断素材シート１９が磁気記憶媒体Ｍ側に位置するように配置する。つまり、実施例１の電磁波遮断シート７を上記電磁波遮断シート７ａとする場合であれば、磁気遮断素材シート１９が内側となるように構成する。また、実施例２の表シート２２および裏シート２５を上記電磁波遮断シート７ａとする場合であれば、それぞれに重合配置されるカバーシート２１，２４側に磁気遮断素材シート１９が位置するように構成する。  
このように構成した電磁波遮断シート７ａは、全体の肉厚が１ｍｍ〜２ｍｍとなるように構成するとよい。
【００３８】
以上の構成により、磁界（磁力）を発する磁界発生体（例えば強力な永久磁石など）が近くに存在する場合であっても、磁界発生体と磁気遮断素材シート１９の間に少なくとも距離確保シート１８の肉厚分の距離を確保することができ、磁気遮断素材シート１９による磁気遮断効果を高めることができる。
【００３９】
例えば、強力な永久磁石などを磁気記憶媒体Ｍの磁気ストライプに接触させると、永久磁石の発する磁界によって磁気ストライプに記憶されている磁気情報が消えてしまう。この強力な磁界の遮断を磁気遮断素材シート１９だけで実現しようとすると、磁気遮断素材シート１９の肉厚を相当厚くする必要がある。しかし、上述したように永久磁石と磁気遮断素材シート１９の間に距離確保シート１８が必ず介在する構成とすることにより、磁気遮断素材シート１９に到達する永久磁石の磁界が弱まる。
【００４０】
このため、収納ケース１や収納ケース２０内に磁気記憶媒体Ｍを収納した状態で収納ケース１，２０の外側に強力な永久磁石が接触しても、距離確保シート１８と磁気遮断素材シート１９によって磁界が磁気記憶媒体Ｍに到達することを防止でき、磁気記憶媒体Ｍの磁気ストライプに記憶されている磁気情報が消去されることを防止できる。
【００４１】
また、磁気遮断素材シート１２，１４，１９は、フェライト材によるフェライト層、炭素材による炭素層、アルミ材によるアルミ層、および炭素材による炭素層をこの順で重合配置して構成してもよい。このように構成した場合、フェライト層が外側、つまり磁気記憶媒体Ｍと反対側に位置するように収納ケース１，２０を構成するとよい。この場合も、磁界を充分に遮断することができる。
【００４２】
この発明の構成と、上述の実施形態との対応において、
この発明の磁気記憶媒体ケースは、実施形態の収納ケース１および収納ケース２０に対応し、
以下同様に、
磁気遮断シートは、電磁波遮断シート７および多機能シート３０に対応し、
磁気遮断層は、磁気遮断素材シート１２，１４，１９、および鉄層３２に対応し、
絶縁層は、絶縁シート１３に対応し、
距離確保層は、距離確保シート１８に対応し、
磁気遮断素材は、アルミ材および鉄材に対応するも、
この発明は、上述の実施形態の構成のみに限定されるものではなく、多くの実施の形態を得ることができる。
【図面の簡単な説明】
【００４３】
【図１】磁気記憶媒体と収納ケースの外観を示す斜視図。
【図２】電磁波遮断シートの断面図。
【図３】電磁波遮断性能の説明図。
【図４】電磁波遮断シートの電磁波遮断性能を示すグラフ図。
【図５】実施例２の収納ケースの外観を示す斜視図。
【図６】他の実施例における電磁波遮断シートとしての多機能シートの断面図。
【図７】他の実施例における電磁波遮断シートの断面図。
【符号の説明】
【００４４】
１…収納ケース、７…電磁波遮断シート、１２…磁気遮断素材シート、１３…絶縁シート、１４…磁気遮断素材シート、１８…距離確保シート、１９…磁気遮断素材シート、２０…収納ケース、３０…多機能シート、３２…鉄層、Ｍ…磁気記憶媒体
【図１】
2008010799.tif 000003
【図２】
2008010799.tif 000004
【図３】
2008010799.tif 000005
【図４】
2008010799.tif 000006
【図５】
2008010799.tif 000007
【図６】
2008010799.tif 000008
【図７】
2008010799.tif 000009